(57)【要約】【課題】  パネルの材質や板厚あるいは構造等の違いにも柔軟に対応することができ、格子状のパネルも、格子目のピッチや格子ワイヤの太さ等にかかわらず、簡単なアタッチメントにより、支柱パイプに簡単かつ自在に取り付け可能なパネル取付具を提供する。また、多種多様のパネルを用いて簡単かつ自在に設置することができる間仕切りを提供する。【解決手段】  支柱パイプ２０に挿通するガイド孔（ガイド）４１を有しスライド移動が可能なボス部材（被締結部材）４０と、ボス部材４０を支柱パイプ２０に固定する筒状ナット部材（締結部材）５０とを有し、ボス部材４０は、パネル１０を保持可能に開口溝（開口）４３が形成されたホルダ部４２と、可撓性筒端部（被締結部材側係止部）４８とが形成され、ナット部材５０は、可撓性筒端部４８と係止可能な縮径部（付勢部）５１が形成されている。【選択図】    図３
2005278689.tif 000002
【特許請求の範囲】
【請求項１】
パネルを支柱パイプに取り付けるパネル取付具であって、
前記支柱パイプに挿通するガイドを有しスライド移動が可能な被締結部材と、該被締結部材を前記支柱パイプに固定する締結部材とを有し、
前記被締結部材は、前記パネルを保持可能に開口が形成されたホルダ部と、被締結部材側係止部とが形成され、
前記締結部材は、前記被締結部材側係止部と係止可能な締結部材側係止部が形成されていること
を特徴とするパネル取付具。
【請求項２】
パネルを支柱パイプに取り付けるパネル取付具であって、
前記支柱パイプに挿通するガイドを有しスライド移動が可能なボス部材と、該ボス部材を前記支柱パイプに固定する締結部材とを有し、
前記ボス部材は、前記パネルを保持可能に開口が形成されたホルダ部と、前記ガイドの一端に形成されたボス部材側係止部と、該ボス部材側係止部の先端に連接して弾性変形可能な端部とが形成され、
前記締結部材は、前記ボス部材側係止部と係止可能な締結部材側係止部と、前記端部を付勢する付勢部とが形成されていること
を特徴とするパネル取付具。
【請求項３】
パネルのコーナー部に介挿部材を取り付け、前記介挿部材が前記ホルダ部の開口に保持される構成としたことを特徴とする請求項１又は請求項２に記載のパネル取付具。
【請求項４】
前記開口の内壁面に、前記開口の壁面の立上り方向に凸条を有することを特徴とする請求項１乃至請求項３のうち、いずれか１に記載のパネル取付具。
【請求項５】
前記開口の内壁面に、前記開口の壁面から張り出して開口幅を狭める隔壁部を有することを特徴とする請求項１乃至請求項４に記載のうち、いずれか１に記載のパネル取付具。
【請求項６】
前記介挿部材は、前記凸条に位置対応して係合可能な凹条を有し、前記介挿部材が前記ホルダ部の開口に位置決め案内される構成としたことを特徴とする請求項３乃至請求項５のうち、いずれか１に記載のパネル取付具。
【請求項７】
前記介挿部材は、前記隔壁部に位置対応して係合可能な凹溝を有し、前記介挿部材が前記ホルダ部の開口に位置決め案内される構成としたことを特徴とする請求項３乃至請求項６のうち、いずれか１に記載のパネル取付具。
【請求項８】
前記端部は、切込部を有し、弾性変形可能な構成としたことを特徴とする請求項１乃至請求項７のうち、いずれか１に記載のパネル取付具。
【請求項９】
前記ボス部材側係止部と前記締結部材側係止部とは、ネジが形成されて螺合結合が可能な構成としたことを特徴とする請求項２乃至請求項８のうち、いずれか１に記載のパネル取付具。
【請求項１０】
前記ボス部材側係止部は、部分ネジであることを特徴とする請求項９に記載のパネル取付具。
【請求項１１】
間隔を隔てて立設された支柱パイプ間にパネルを保持させてなる間仕切りにおいて、
前記パネルは、請求項１乃至請求項１０のいずれか１に記載のパネル取付具により前記支柱パイプに着脱自在に取り付け可能な構成としたことを特徴とする間仕切り。
【発明の詳細な説明】
【技術分野】
【０００１】
本発明は、パネルを支柱パイプに取り付けるパネル取付具および該パネル取付具を用いた間仕切りに関する。
【背景技術】
【０００２】
たとえば、オフィス、展示会場、一般家庭などにおいて、間仕切り用パネル、展示用パネル、掛け具用の格子状パネルなどを設置する場合、そのパネルをあらかじめ任意設置された支柱パイプに取り付けるようにすれば、壁の位置などの建物構造に制約されることなく、比較的高い自由度でその設置を行うことができる。また、床と天井の間に突っ張らせて立設固定する伸縮式の支柱パイプ（いわゆる突っ張り支柱）を使用すれば、間仕切りや展示パネル等を任意の配置で設置することができる。さらに、パネルを支柱パイプに着脱可能に取り付ければ、配置変更や撤去にも容易に対応することができる。
【０００３】
従来のパネルを支柱パイプに取り付けるパネル取付具として、たとえば特許文献１に記載されているようなものがある。特許文献１のパネル取付具は、縦部材と横部材とからなるＬ字状の取付金具と、この取付金具の横部材を上下から挟み込んで固定する上側リングと下側リングを用いたものが提供されている。
【０００４】
特許文献１に記載のパネル取付具は、上記取付金具の縦部材にネジ孔が設けられていて、このネジ孔を通してパネルの側端面にビスを螺入させることにより、その縦部材の部分をパネルに固定する。上側リングと下側リングは支柱パイプの外周に移動自在に嵌合し、上記取付金具の横部材の端部に形成された爪部を挟み込んだ状態で支柱パイプに押しネジにより固定される。これにより、所定の厚みを有する板面状パネルを支柱パイプに着脱可能に取り付けることができる。
【０００５】
また、特許文献２には、格子状パネル（ネットパネル）専用のパネル取付具が開示されている。この取付具は、格子状パネルの縦ワイヤと横ワイヤが交叉する部分を、その交叉部分の形状に対応する縦横の溝または凹形状で保持するとともに、この保持形状が形成された連結具に支柱嵌挿孔を設け、この嵌挿孔に支柱を嵌挿させるとともに、その連結具を押しネジで支柱に固定させるというものである。
【０００６】
【特許文献１】実用新案登録第２５８９８９１号公報
【特許文献２】実用新案登録第３０４５５７０号公報
【発明の開示】
【発明が解決しようとする課題】
【０００７】
特許文献１に記載のパネル取付具は、取付金具をパネルに固定するために独立の部材であるビスを使うが、このビスの使用により部品点数が多くなり、さらに、そのビス等の小物部品は逸散しやすいため、管理が面倒であるとともに、スペアの用意も必要になるなどの問題があった。また、上記ビスによる固定を行うためには、パネル側の材質や板厚等がそのビスの螺入による固定に適応している必要がある。
【０００８】
ビスとして木ネジを使用できればネジ孔を合わせる必要はないが、パネルによっては木ネジを使用できないこともあり、この場合はあらかじめパネル側にネジ孔あるいはタッピングネジ用の下孔を設ける必要が生じる。しかし、この場合、そのネジ孔または下孔とビスとの位置合わせが非常に面倒になるとともに、その面倒な位置合わせをしながらネジ締結等を行わなければならず、作業が非常に煩雑かつ困難になってしまうという問題が生じる。結局、特許文献１に記載のパネル取付具は、上記ビスによる固定が有効な特定規格のパネルには有効であるが、それ以外のパネルには適用し難いという問題があった。
【０００９】
特許文献２に記載のパネル取付具は、縦ワイヤと横ワイヤが交叉する格子状パネル専用に構成されたものであって、板面状のパネルには適用できない。また、同じ格子状パネルであっても、格子目のピッチや格子ワイヤの太さが違うと使用できない場合があった。したがって、特許文献２に記載されたパネル取付具も、特定規格の格子状パネルにしか適用できず、多種多様のパネルには対応できなかった。
【００１０】
本発明は、以上のような問題に鑑みてなされたものであり、その目的は、パネルの材質や板厚あるいは構造等の違いにも柔軟に対応することができ、格子状のパネルも、格子目のピッチや格子ワイヤの太さ等にかかわらず、簡単なアタッチメントにより、支柱パイプに簡単かつ自在に取り付けることができるパネル取付具を提供することにある。また、多種多様のパネルを用いて簡単かつ自在に設置できる間仕切りを提供することを目的とする。
【課題を解決するための手段】
【００１１】
本発明によるパネル取付具は、パネルを支柱パイプに取り付けるパネル取付具であって、前記支柱パイプに挿通するガイドを有しスライド移動が可能な被締結部材と、該被締結部材を前記支柱パイプに固定する締結部材とを有し、前記被締結部材は、前記パネルを保持可能に開口が形成されたホルダ部と、被締結部材側係止部とが形成され、前記締結部材は、前記被締結部材側係止部と係止可能な締結部材側係止部が形成されていることを特徴とする。また、本発明によるパネル取付具は、パネルを支柱パイプに取り付けるパネル取付具であって、前記支柱パイプに挿通するガイドを有しスライド移動が可能なボス部材と、該ボス部材を前記支柱パイプに固定する締結部材とを有し、前記ボス部材は、前記パネルを保持可能に開口が形成されたホルダ部と、前記ガイドの一端に形成されたボス部材側係止部と、該ボス部材側係止部の先端に連接して弾性変形可能な端部とが形成され、前記締結部材は、前記ボス部材側係止部と係止可能な締結部材側係止部と、前記端部を付勢する付勢部とが形成されていることを特徴とする。また、本発明によるパネル取付具は、パネルのコーナー部に介挿部材を取り付け、前記介挿部材が前記ホルダ部の開口に保持される構成としたことを特徴とする。また、本発明によるパネル取付具は、前記開口の内壁面に、前記開口の壁面の立上り方向に凸条を有することを特徴とする。また、本発明によるパネル取付具は、前記開口の内壁面に、前記開口の壁面から張り出して開口幅を狭める隔壁部を有することを特徴とする。また、本発明によるパネル取付具の前記介挿部材は、前記凸条に位置対応して係合可能な凹条を有し、前記介挿部材が前記ホルダ部の開口に位置決め案内される構成としたことを特徴とする。また、本発明によるパネル取付具の前記介挿部材は、前記隔壁部に位置対応して係合可能な凹溝を有し、前記介挿部材が前記ホルダ部の開口に位置決め案内される構成としたことを特徴とする。また、本発明によるパネル取付具の前記端部は、切込部を有し、弾性変形可能な構成としたことを特徴とする。また、本発明によるパネル取付具の前記ボス部材側係止部と前記締結部材側係止部とは、ネジが形成されて螺合結合が可能な構成としたことを特徴とする。また、本発明によるパネル取付具の前記ボス部材側係止部は、部分ネジであることを特徴とする。また、本発明による間仕切りは、間隔を隔てて立設された支柱パイプ間にパネルを保持させてなる間仕切りにおいて、前記パネルは、前記本発明によるパネル取付具により前記支柱パイプに着脱自在に取り付け可能な構成としたことを特徴とする。
【発明の効果】
【００１２】
本発明によるパネル取付具によれば、パネルの材質や板厚あるいは構造等の違いにも柔軟に対応することができ、格子状のパネルも、格子目のピッチや格子ワイヤの太さ等にかかわらず、簡単なアタッチメントでもって、支柱パイプに簡単かつ自在に取り付けることが可能なパネル取付具を提供することができる。また、上記取付具を用いることにより、多種多様のパネルを用いて簡単かつ自在に設置可能な間仕切りを提供することができる。
【発明を実施するための最良の形態】
【００１３】
以下、本発明によるパネル取付具及び間仕切りの実施の形態について図面を参照して説明する。図１は、本発明によるパネル取付具の一実施形態を示す斜視図、図２は、本発明によるパネル取付具の断面図、図３は、本発明によるパネル取付具を支柱パイプへ取り付ける状態を示す斜視図、図４は、格子状のパネルの取り付けに使用して好適な介挿部材６０の実施形態を示す斜視図、図５は、介挿部材を本発明のパネル取付具に装着する状態を示す斜視図、図６は、本発明のパネル取付具を用いて板面状パネルを支柱パイプに取り付けた状態を示す正面図および部分拡大斜視図である。
【００１４】
本発明によるパネル取付具３０は、パネル１０と支柱パイプ２０との取付けに使用されるものであって、支柱パイプ２０に対してスライド移動が可能なボス部材４０と、ボス部材４０を支柱パイプ２０に固定する筒状ナット部材５０とにより構成される。ボス部材４０は、支柱パイプ２０に締結される被締結部材をなし、筒状ナット部材５０は、ボス部材４０を支柱パイプ２０に締結させる締結部材をなす。筒状ナット部材５０には、締結部材側係止部としてのネジ部５２が形成されている。
【００１５】
被締結部材としてのボス部材４０は、支柱パイプ２０を挿通させるガイドとしての垂直ガイド孔４１を有する。ガイド孔４１により、被締結部材としてのボス部材４０は、支柱パイプ２０に対してスライド移動可能になっている。図２に示すように、ガイドとしてのガイド孔４１の内側面には、スライド移動方向に沿って複数の凸条４１１が略等間隔で設けられており、凸条４１１は上記スライド移動を円滑にするように作用する。被締結部材としてのボス部材４０には、パネル１０を保持可能なホルダ部４２と、被締結部材側係止部（ボス部材側係止部）としてのネジ部４６及び可撓性筒端部４８が形成されている。
【００１６】
ホルダ部４２は、ガイド孔４１の側方に設けられ、支柱パイプ２０の立設方向である垂直方向に対して水平に張り出す形で形成されている。図３に示すように、ネジ部４６は、ガイド孔４１の一端に連接して支柱パイプ２０を挿通可能に筒状部に形成されている。この筒状部の外周に部分ネジが設けられて筒状のネジ部４６が形成されている。
【００１７】
図１乃至図３に示すように、ホルダ部４２には、パネル１０を保持可能に開口が形成されており、該開口は、パネル１０のコーナー部１１（図５及び図６参照）を嵌入させて係止する矩形Ｕ字断面状の開口溝４３として形成されている。
【００１８】
また、図３に示すように、ネジ部４６は、ガイド孔４１の一端に連接して支柱パイプ２０を挿通可能に形成されている。さらに、ネジ部４６の先端に連接して弾性変形可能な端部としての可撓性筒端部４８が形成されており、可撓性筒端部４８は、支柱パイプ２０を挿通させるとともに径方向に弾性変形可能に形成されている。
【００１９】
図２に示すように、締結部材としての筒状ナット部材５０は、ネジ部４６の外筒をなす形で、締結部材側係止部としてのネジ部５２がネジ部４６と螺合可能に形成されており、また、その螺合深度に応じて可撓性筒端部４８を縮径付勢する付勢部としての縮径部５１が形成されている。これにより、被締結部材側係止部（ボス部材側係止部）と係止可能な締結部材側係止部と、端部を縮径付勢する付勢部とが形成されている。
【００２０】
なお、被締結部材側係止部としてネジ部４６で構成し、締結部材側係止部としてネジ部５２で構成して、被締結部材としてのボス部材４０と締結部材としての筒状ナット部材５０とを螺合結合する構成のものを説明したが、本発明はこれに限定されるものではなく、例えば、ネジ部４６，５２を形成せずに、被締結部材側係止部をテーパー状に形成して、締結部材としての筒状ナット部材５０を被締結部材側係止部に押し込んで固定する構成としてもよく、適宜好適な固定手段を選定可能である。
【００２１】
なお、被締結部材としてのボス部材４０及び締結部材としての筒状ナット部材５０は、ＡＢＳ樹脂で成形されているが、それ以外の材料により構成してもよい。
【００２２】
このように、本発明によるパネル取付具３０は、被締結部材としてのボス部材４０と締結部材としての筒状ナット部材５０との２つの基本部品だけで構成することができる。さらに、図１及び図２に示すように、前記２つの基本部品は、筒状ナット部材５０をボス部材４０にあらかじめ仮締結させておくことにより、出荷や流通およびユーザの使用現場では、実質的に単一の部品として取り扱うことができる。
【００２３】
図３に示すように、パネル取付具３０によるパネル１０の支柱パイプ２０への取り付けは、支柱パイプ２０にボス部材４０及び筒状ナット部材５０を挿通させ、支柱パイプ２０の任意の位置にて筒状ナット部材５０をボス部材４０側のネジ部４６および可撓性筒端部４８に被せるとともに、筒状ナット部材５０を手動回動させてネジ部４６にネジ部４２を螺合させる。図５及び図６（部分拡大図）に示すように、この螺合により、可撓性筒端部４８は、付勢部としての縮径部１５によって縮径付勢され支柱パイプ２０を全周方向から把持・挟圧することにより、被締結部材であるボス部材４０が支柱パイプ２０に固定される。
【００２４】
ここで、所定間隔を置いて立設された２本の支柱パイプ２０の上下２箇所ずつ計４箇所に上記ボス部材４０を取り付け、その４個所のボス部材４０の各ホルダ部４２の開口溝４３にパネル１０の４隅（コーナー部）を保持させるとともに、この保持状態で各ボス部材４０をそれぞれ支柱パイプ２０に固定することにより、パネル１０を４隅から安定に保持させた状態で支柱パイプ２０に取り付けることができる（図６参照）。
【００２５】
このとき注目すべきことは、パネル１０の取り付けが、ビス等の別の固定手段を用いることなく、被締結部材であるボス部材４０と締結部材である筒状ナット部材５０からなるパネル取付具３０の本体だけで行えることである。これにより、たとえば木ネジ等が効きにくいパネルであっても、そのパネル１０を支柱パイプ２０に簡単かつ自在に取り付けることができる。したがって、間仕切りについても、パネル取付具３０を用いることにより、多種多様のパネル１０を用いて簡単かつ自在に設置することができる（図６参照）。
【００２６】
図４および図５に示すように、格子状のパネル１０についても、介挿部材６０をアタッチメント形式で使用することにより、板面状のパネルとほぼ同様に、パネル取付具３０を用いて簡単かつ自在に設置することができる。介挿部材６０は、分割形成されており、格子状パネル１０のコーナー部１１を挟み込んで閉じるとともに、その閉じた状態でホルダ部４２の開口溝４３に嵌合して保持されるようになっている。なお、介挿部材６０は、分割形成されているもので説明したが、一体的に形成されているものでもよい。
【００２７】
介挿部材６０をなす２つの分割部材６０ａ，６０ｂには、互いに嵌合係合する突起部６２と孔部６３が振り分け形成されている。この突起部６２と孔部６３は、２つの分割部材６０ａ，６０ｂが格子状パネル１０のコーナー部１１を挟み込んで閉じた状態のときに着脱可能に嵌合係合する（図４，５参照）。
【００２８】
なお、介挿部材６０は、ＡＢＳ樹脂で成形されているが、それ以外の材料により構成してもよい。
【００２９】
図示の実施形態をさらに詳細に説明すると、ホルダ部４２の開口溝４３の内壁面には、その壁面の立ち上り方向を向く複数の凸条４４が所定間隔で平行配設されている（図１乃至図５参照）。凸条４４は、板面状パネル１０のコーナー部１１をホルダ部４２の開口溝４３に保持させる際に、その嵌合を円滑に行わせる摺動ガイドとして作用する。また、コルクボードのような表面が柔らかい材質のパネルに対しては、凸条４４がボード表面に適度に食い込むことにより、保持部の緩みやガタツキを押さえる効果も得られる。
【００３０】
また、ホルダ部４２の開口溝４３には、開口溝４３の両側壁面から張り出して開口幅を狭める一対の隔壁部４５ａ，４５ｂが形成されている（図１乃至図３参照）。この隔壁部４５ａ，４５ｂは、パネル１０の幅方向の移動を規制する位置決めストッパとして作用する。これにより、パネル１０の両幅を定位置で確実に位置決めさせることができる。
【００３１】
凸条４４および一対の隔壁部４５ａ，４５ｂは、介挿部材６０の位置決め案内にも有効に作用させることができる。すなわち、図４および図５に示すように、介挿部材６０に、複数の凸条４４に位置対応して係合可能な凹条６１を形成することにより、介挿部材６０をホルダ部４２に円滑かつ安定に位置決め案内させることができる。これにより、パネルの取付作業を一層簡単かつ自在に行わせることができるようになる。
【００３２】
また、介挿部材６０に、一対の隔壁部４５ａ，４５ｂに位置対応して係合可能な凹溝６４ａ，６４ｂを形成することにより、介挿部材６０をホルダ部４２にさらに安定に位置決め案内させることができるようになる（図４及び図５参照）。
【００３３】
ボス部材４０の可撓性筒端部４８は、可撓性筒端部４８を円周方向で分割する複数の切込部４９が形成されており、径方向に弾性変形可能に形成されている。これにより、全体を同一種類の樹脂素材で一体に形成しながら、その筒端部４８だけに径方向に弾性変形可能な可撓性をもたせることができる。つまり、同一種類の樹脂でもって、剛性が必要な構造部分（例えば、ガイド孔４１、ホルダ部４２）を形成しつつ、可撓性を必要とする可撓性筒端部４８を形成することができる。
【００３４】
図３に示すように、ネジ部４６のネジ部分は、外周の一部を欠く部分ネジとしてもよい。部分ネジとすることにより、過剰の締め付けトルクを逃がして締め過ぎを防ぐことができる。これにより、たとえば、締結位置の変更あるいは取り外しを行う際に、レンチ等を使わず、そのネジ部４６を手動で円滑に緩めたり締めたりすることができ、また、締め過ぎによる破損を防止できる。
【００３５】
図６に示すように、パネル取付具３０を使用すれば、間隔をおいて立設された一対の支柱パイプ２０に複数のパネル１０を上下に並べて取り付けることができる。また、同一規格で作製されたパネル取付具３０を用いて、板面状や格子状などの種類の異なるパネル１０を取り付けることができる。したがって、パネル取付具３０を用いて間仕切りを設置する場合は、複数枚および／または複数種類のパネルを任意に配置して多種多用な間仕切りを簡単かつ自在に設置することができる。
【００３６】
以上、本発明をその代表的な実施例に基づいて説明したが、本発明は前記した以外にも種々の態様が可能である。例えば、介挿部材６０は、ホルダ部４２の開口溝４３の幅とパネル１０のコーナー部の１１厚みとの差を埋めるだけのスペーサ部材であってもよい。
【産業上の利用可能性】
【００３７】
本発明によれば、パネルの材質や板厚あるいは構造等の違いにも柔軟に対応することができ、格子状のパネルも、格子目のピッチや格子ワイヤの太さ等にかかわらず、簡単なアタッチメントでもって、支柱パイプに簡単かつ自在に取り付けることが可能なパネル取付具を提供することができる。また、本発明によるパネル取付具を用いることにより、多種多様のパネルを用いて簡単かつ自在に設置可能な間仕切りを提供することができる。
【図面の簡単な説明】
【００３８】
【図１】本発明によるパネル取付具の一実施形態を示す斜視図である。
【図２】本発明によるパネル取付具の断面図である。
【図３】本発明によるパネル取付具を支柱パイプへ取り付ける状態を示す斜視図である。
【図４】格子状パネルの取り付けに使用して好適な介挿部材の実施形態を示す斜視図である。
【図５】介挿部材を本発明のパネル取付具に装着する状態を示す斜視図である。
【図６】本発明のパネル取付具を用いて板面状パネルを支柱パイプに取り付けた状態を示す正面図および部分拡大斜視図である。
【符号の説明】
【００３９】
１０  パネル（格子状または板面状）
１１  コーナー部
２０  支柱パイプ
３０  パネル取付具
４０  ボス部材（被締結部材）
４１  垂直ガイド孔（ガイド）
４１１  凸条
４２  ホルダ部
４３  開口溝（開口）
４４  凸条
４５ａ，４５ｂ  一対の隔壁部
４６  ネジ部（被締結部材側係止部・ボス部材側係止部）
４８  可撓性筒端部（被締結部材側係止部・端部）
４９  切込部
５０  筒状ナット部材（締結部材）
５１  縮径部（締結部材側係止部・付勢部）
５２  ネジ部（締結部材側係止部）
６０  介挿部材
６０ａ，６０ｂ  分割部材
６１  凹条
６２  突起部
６３  孔部
６４ａ，６４ｂ  凹溝
【図１】
2005278689.tif 000003
【図２】
2005278689.tif 000004
【図３】
2005278689.tif 000005
【図４】
2005278689.tif 000006
【図５】
2005278689.tif 000007
【図６】
2005278689.tif 000008